【手続補正書】
【提出日】平成23年5月11日(2011.5.11)
【手続補正１】
【補正対象書類名】特許請求の範囲
【補正対象項目名】全文
【補正方法】変更
【補正の内容】
【特許請求の範囲】
【請求項１】
表示部に、コンテンツを表すコンテンツ表示アイテムと、当該コンテンツ表示アイテムを格納するための領域と、前記領域に格納されたコンテンツ表示アイテムに対応するコンテンツに対する処理あるいは前記領域に格納すべきコンテンツ表示アイテムを指定する処理を指示するための第１の表示アイテム及び第２の表示アイテムとを表示するよう制御する表示制御手段と、
前記第１の表示アイテムと、前記第２の表示アイテムを前記表示部上で移動させる指示を受け付ける指示受け付け手段と、
前記指示受け付け手段により前記第１の表示アイテムを前記領域に移動させる指示を受け付けた場合に第１の処理を実行するよう制御し、
前記指示受け付け手段により前記第２の表示アイテムを前記領域に移動させる指示を受け付けた場合に前記第１の処理と異なる第２の処理を実行するよう制御する制御手段と
を有することを特徴とするコンテンツ管理装置。
【請求項２】
前記第１の処理と前記第２の処理はそれぞれ、
前記領域に格納されたコンテンツ表示アイテムに対応するコンテンツに対して付加情報を付加する付加処理と、
前記領域に格納されたコンテンツ表示アイテムに対応するコンテンツの印刷する印刷処理と、
前記領域に格納されたコンテンツ表示アイテムに対応するコンテンツを転送する転送処理と、
前記領域に格納されたコンテンツ表示アイテムに対応するコンテンツをスライドショー表示するスライドショー表示処理と、
前記領域に格納すべきコンテンツ表示アイテムを付加情報を条件に検索する検索処理と、
前記領域に格納する前記コンテンツ表示アイテムを追加する仕分け処理
の少なくとも１つであることを特徴とする請求項１のコンテンツ管理装置。
【請求項３】
表示部に、コンテンツを表すコンテンツ表示アイテムと、当該コンテンツ表示アイテムを格納するための領域と、前記領域に格納されたコンテンツ表示アイテムに対応するコンテンツに対する処理である第１の処理を指示するための第１の表示アイテムと、前記領域に格納すべきコンテンツ表示アイテムを指定する処理である第２の処理を指示するための第２の表示アイテムとを表示するよう制御する表示制御手段と、
前記第１の表示アイテムと、前記第２の表示アイテムを前記表示部上で移動させる指示を受け付ける指示受け付け手段と、
前記指示受け付け手段により前記第１の表示アイテムを前記領域に移動させる指示を受け付けた場合に前記第１の処理を実行するよう制御し、
前記指示受け付け手段により前記第２の表示アイテムを前記領域に移動させる指示を受け付けた場合に前記第２の処理を実行するよう制御する制御手段と
を有することを特徴とするコンテンツ管理装置。
【請求項４】
前記第１の処理は、
前記領域に格納されたコンテンツ表示アイテムに対応するコンテンツに対して付加情報を付加する付加処理と、
前記領域に格納されたコンテンツ表示アイテムに対応するコンテンツを印刷する印刷処理と、
前記領域に格納されたコンテンツ表示アイテムに対応するコンテンツを転送する転送処理と、
前記領域に格納されたコンテンツ表示アイテムに対応するコンテンツをスライドショー表示するスライドショー表示処理の少なくとも１つであり、
前記第２の処理は、
前記領域に格納すべきコンテンツ表示アイテムをコンテンツの付加情報を条件に検索する検索処理と、
前記領域に格納する前記コンテンツ表示アイテムを追加する仕分け処理
の少なくとも１つであることを特徴とする請求項３のコンテンツ管理装置。
【請求項５】
前記領域は、格納された前記コンテンツ表示アイテムを表示することができる領域であることを特徴とする請求項１から４のいずれか１項のコンテンツ管理装置。
【請求項６】
前記領域に格納された前記コンテンツ表示アイテムに対応するコンテンツを同一の集合として管理するための領域管理手段を更に有することを特徴とする請求項１から５のいずれか１項のコンテンツ管理装置。
【請求項７】
前記付加情報は、同一の付加情報が付加された複数のコンテンツが同一のグループであることを示す分類情報であることを特徴とする請求項２または４から６のいずれか１項のコンテンツ管理装置。
【請求項８】
前記検索処理は、
前記領域に格納すべきコンテンツ表示アイテムを前記付加情報を条件に絞り込む処理と、前記領域に格納すべきコンテンツ表示アイテムを前記付加情報を条件に追加する処理の少なくとも一方であることを特徴とする請求項２または４から７のいずれか１項のコンテンツ管理装置。
【請求項９】
前記表示制御手段は、前記検索処理を指示するための表示アイテムとして、付加されたコンテンツが存在する付加情報に関する検索を指示するためのもののみを表示するよう制御することを特徴とする請求項２または４から８のいずれか１項のコンテンツ管理装置。
【請求項１０】
前記付加処理を指示するための表示アイテムは、該表示アイテムによって付加できる付加情報が付加されたコンテンツが存在する表示アイテムと、該表示アイテムによって付加できる付加情報が付加されたコンテンツが存在しない表示アイテムとで異なる表示形態で表示するよう制御することを特徴とする請求項２または４から９のいずれか１項のコンテンツ管理装置。
【請求項１１】
前記表示制御手段は、前記コンテンツ表示アイテムと、前記領域と、前記第１の表示アイテムと、前記第２の表示アイテムとを同時に表示するよう制御することを特徴とする請求項１から１０のいずれか１項のコンテンツ管理装置。
【請求項１２】
前記表示制御手段は、前記領域に格納されているコンテンツ表示アイテムのうち、前記検索処理によって当該領域に格納されたコンテンツ表示アイテムと、その他のコンテンツ表示アイテムをと識別可能に表示するよう制御することを特徴とする請求項２または４から１１のいずれか１項のコンテンツ管理装置。
【請求項１３】
前記表示制御手段は、前記検索処理による当該領域に格納すべきコンテンツ表示アイテムの増減を識別可能に表示するよう制御することを特徴とする請求項２または４から１２のいずれか１項のコンテンツ管理装置。
【請求項１４】
前記領域に移動された前記付加処理を指示するための表示アイテムあるいは前記領域に移動された前記検索処理を行う表示アイテムに対する所定の操作を受け付けると、当該領域に格納されたコンテンツ表示アイテムのうち、前記操作された表示アイテムに関連付けられた付加情報と同じ付加情報を持つコンテンツ表示アイテムが強調表示されることを特徴とする請求項２または４から１３のいずれか１項のコンテンツ管理装置。
【請求項１５】
前記移動させる指示は、ポインティングデバイスを用いたドラッグアンドドロップ、タッチパネルを用いたドラッグアンドドロップのいずれかによって行われることを特徴とする請求項１から１４のいずれか１項のコンテンツ管理装置。
【請求項１６】
前記分類情報は、コンテンツ管理装置が自動的に生成した情報、ユーザが任意に指定した情報、または、画像が元々持つ情報の、少なくとも１つの情報であることを特徴とする請求項７から１５のいずれか１項のコンテンツ管理装置。
【請求項１７】
表示部に、コンテンツを表すコンテンツ表示アイテムと、当該コンテンツ表示アイテムを格納するための領域と、前記領域に格納されたコンテンツ表示アイテムに対応するコンテンツに対する処理あるいは前記領域に格納すべきコンテンツ表示アイテムを指定する処理を指示するための第１の表示アイテム及び第２の表示アイテムとを表示するよう制御する表示制御ステップと、
前記第１の表示アイテムと、前記第２の表示アイテムを前記表示部上で移動させる指示を受け付ける指示受け付けステップと、
前記指示受け付けステップにより前記第１の表示アイテムを前記領域に移動させる指示を受け付けた場合に第１の処理を実行するよう制御し、
前記指示受け付けステップにより前記第２の表示アイテムを前記領域に移動させる指示を受け付けた場合に前記第１の処理と異なる第２の処理を実行するよう制御する制御ステップと
を有することを特徴とするコンテンツ管理装置の制御方法。
【請求項１８】
表示部に、コンテンツを表すコンテンツ表示アイテムと、当該コンテンツ表示アイテムを格納するための領域と、前記領域に格納されたコンテンツ表示アイテムに対応するコンテンツに対する処理である第１の処理を指示するための第１の表示アイテムと、前記領域に格納すべきコンテンツ表示アイテムを指定する処理である第２の処理を指示するための第２の表示アイテムとを表示するよう制御する表示制御ステップと、
前記第１の表示アイテムと、前記第２の表示アイテムを前記表示部上で移動させる指示を受け付ける指示受け付けステップと、
前記指示受け付けステップにより前記第１の表示アイテムを前記領域に移動させる指示を受け付けた場合に前記第１の処理を実行するよう制御し、
前記指示受け付けステップにより前記第２の表示アイテムを前記領域に移動させる指示を受け付けた場合に前記第２の処理を実行するよう制御する制御ステップと
を有することを特徴とするコンテンツ管理装置の制御方法。
【請求項１９】
コンピュータを、
表示部に、コンテンツを表すコンテンツ表示アイテムと、当該コンテンツ表示アイテムを格納するための領域と、前記領域に格納されたコンテンツ表示アイテムに対応するコンテンツに対する処理あるいは前記領域に格納すべきコンテンツ表示アイテムを指定する処理を指示するための第１の表示アイテム及び第２の表示アイテムとを表示するよう制御する表示制御手段、
前記第１の表示アイテムと、前記第２の表示アイテムを前記表示部上で移動させる指示を受け付ける指示受け付け手段、
前記指示受け付け手段により前記第１の表示アイテムを前記領域に移動させる指示を受け付けた場合に第１の処理を実行するよう制御し、
前記指示受け付け手段により前記第２の表示アイテムを前記領域に移動させる指示を受け付けた場合に前記第１の処理と異なる第２の処理を実行するよう制御する制御手段
として機能させるためのプログラム。
【請求項２０】
コンピュータを、
表示部に、コンテンツを表すコンテンツ表示アイテムと、当該コンテンツ表示アイテムを格納するための領域と、前記領域に格納されたコンテンツ表示アイテムに対応するコンテンツに対する処理である第１の処理を指示するための第１の表示アイテムと、前記領域に格納すべきコンテンツ表示アイテムを指定する処理である第２の処理を指示するための第２の表示アイテムとを表示するよう制御する表示制御手段、
前記第１の表示アイテムと、前記第２の表示アイテムを前記表示部上で移動させる指示を受け付ける指示受け付け手段、
前記指示受け付け手段により前記第１の表示アイテムを前記領域に移動させる指示を受け付けた場合に前記第１の処理を実行するよう制御し、
前記指示受け付け手段により前記第２の表示アイテムを前記領域に移動させる指示を受け付けた場合に前記第２の処理を実行するよう制御する制御手段
として機能させるためのプログラム。
【請求項２１】
コンピュータを、
表示部に、コンテンツを表すコンテンツ表示アイテムと、当該コンテンツ表示アイテムを格納するための領域と、前記領域に格納されたコンテンツ表示アイテムに対応するコンテンツに対する処理あるいは前記領域に格納すべきコンテンツ表示アイテムを指定する処理を指示するための第１の表示アイテム及び第２の表示アイテムとを表示するよう制御する表示制御手段、
前記第１の表示アイテムと、前記第２の表示アイテムを前記表示部上で移動させる指示を受け付ける指示受け付け手段、
前記指示受け付け手段により前記第１の表示アイテムを前記領域に移動させる指示を受け付けた場合に第１の処理を実行するよう制御し、
前記指示受け付け手段により前記第２の表示アイテムを前記領域に移動させる指示を受け付けた場合に前記第１の処理と異なる第２の処理を実行するよう制御する制御手段
として機能させるためのプログラムを記録したコンピュータが読み取り可能な記録媒体。
【請求項２２】
コンピュータを、
表示部に、コンテンツを表すコンテンツ表示アイテムと、当該コンテンツ表示アイテムを格納するための領域と、前記領域に格納されたコンテンツ表示アイテムに対応するコンテンツに対する処理である第１の処理を指示するための第１の表示アイテムと、前記領域に格納すべきコンテンツ表示アイテムを指定する処理である第２の処理を指示するための第２の表示アイテムとを表示するよう制御する表示制御手段、
前記第１の表示アイテムと、前記第２の表示アイテムを前記表示部上で移動させる指示を受け付ける指示受け付け手段、
前記指示受け付け手段により前記第１の表示アイテムを前記領域に移動させる指示を受け付けた場合に前記第１の処理を実行するよう制御し、
前記指示受け付け手段により前記第２の表示アイテムを前記領域に移動させる指示を受け付けた場合に前記第２の処理を実行するよう制御する制御手段
として機能させるためのプログラムを記録したコンピュータが読み取り可能な記録媒体。
【手続補正２】
【補正対象書類名】明細書
【補正対象項目名】発明の名称
【補正方法】変更
【補正の内容】
【発明の名称】コンテンツ管理装置、コンテンツ管理装置の制御方法、プログラム及び記録媒体
【手続補正３】
【補正対象書類名】明細書
【補正対象項目名】０００１
【補正方法】変更
【補正の内容】
【０００１】
コンテンツを表示、管理するコンテンツ管理装置、コンテンツ管理装置の制御方法及びその方法をコンピュータに実行させるプログラム、及びそのプログラムを記録する記録媒体に関する。